(57)【要約】【課題】照明システムにおいて、照明器具以外を制御するリモートコントローラからの制御を可能とし、また、照明器具以外の装置と連動を図る。【解決手段】照明システムは、リモコン信号を受信するリモコン信号受信部２１と、リモコン信号の機器種別を判別する信号判別部２２と、照明用変換信号に変換するコード対応表からなる参照テーブル２３と、リモコン信号の信号処理を行う信号処理部２４と、照明器具点灯制御信号を生成する制御部２５と、照明シーンを予め保存しておく記憶部２６と、照明器具に調光信号を送信する信号送信部２７とを備え、照明器具以外の装置を制御するリモートコントローラからのリモコン信号を受信した場合、発信元の機器種別を判別して、照明用変換信号に変換することにより、システム照明器具以外を制御するリモートコントローラからの制御を可能とし、照明器具以外の装置と連動を実現する。【選択図】図２
2006269381.tif 000002
【特許請求の範囲】
【請求項１】
照明コントローラと、前記照明コントローラに接続された複数の照明器具と、前記照明コントローラの操作又は設定が可能なリモートコントローラを備える照明システムにおいて、
前記照明コントローラは、前記リモートコントローラが発信するリモコン信号を受信するリモコン信号受信部と、
リモコン信号の発信元の機器種別を判別する信号判別部と、
リモコン信号の信号処理を行う信号処理部と、
照明器具の点灯制御を行うための点灯制御信号を生成する制御部と、
前記制御部で生成された点灯制御信号に基づき照明器具に調光信号を送信する信号送信部とを有し、
前記信号判別部は、リモコン信号を発信した前記リモートコントローラの機種種別をリモコン信号の商品コードに基づいて判別し、前記リモートコントローラの機種種別が前記照明器具を制御するためのリモートコントローラの場合は、前記制御部にリモコン信号を信号変換なしで前記制御部に送信し、前記照明器具以外の装置を制御するためのリモートコントローラ又はリモートコントローラ機能付携帯電話のリモコン信号を受信した場合は、前記信号処理部が受信したリモコン信号より照明器具用の照明用変換信号を生成して前記制御部に送信する機能を備えることを特徴とする照明システム。
【請求項２】
前記照明コントローラは、前記照明器具以外を制御するためのリモートコントローラのリモコン信号を、前記照明器具を制御する照明用変換信号に変換するためのコード対応表からなる参照テーブルを備えることを特徴とする請求項１に記載の照明システム。
【請求項３】
前記照明器具以外の装置を制御するためのリモートコントローラの制御信号を受信すると、前記照明コントローラ内の制御部は前記照明コントローラの記憶部に予め保存された照明シーン設定を読み込み、前記照明器具以外の装置の動作と連動して照明シーンを再生する機能を備えたことを特徴とする請求項１又は請求項２に記載の照明システム。
【発明の詳細な説明】
【技術分野】
【０００１】
本発明は、リモートコントローラから操作可能である照明システムに関するものである。
【背景技術】
【０００２】
従来の照明システムの構成を図２６に示す。この照明システム３０１は、シーン選択スイッチ又は調光スイッチの操作に従って照明器具３０３の点灯レベル制御を行う照明コントローラ３０２と、照明コントローラ３０２の操作が可能なリモートコントローラ３０４と、複数の調光回路３０５と、照明コントローラ３０２の調光回路３０５に接続された複数の照明器具３０３を備える。
【０００３】
上記照明コントローラ３０２の操作部を図２７に示す。照明コントローラ３０２の操作部は、複数の調光スイッチ３１１と、リモコン信号受光部３１２と、電源のON／OFFスイッチ３１３と、照明シーンを選択する複数のシーン選択スイッチ３１４と、調光回路３０５を備える。照明コントローラ３０２の内部構成を図２８に示す。照明コントローラ３０２は、調光スイッチ３１１と、リモコン信号受光部３１２と、電源のON／OFFスイッチ３１３と、シーン選択スイッチ３１４と、照明コントローラ３０２の動作をする制御部３１６と、シーン番号に対応する点灯レベルを記憶する記憶部３１５から構成される。
【０００４】
上記照明システムは、照明コントローラ３０２の調光スイッチ３１１を操作すると、その操作レベルを照明コントローラ３０２の制御部３１６に送信し、調光スイッチ３１１に対応する調光回路３０５の出力レベルを操作レベルに従って設定し、設定された出力レベルに基づいて照明器具３０３の点灯制御を行う。また、同システムは、照明コントローラ３０２のシーン選択スイッチ３１４を操作すると、照明コントローラ３０２の制御部３１６がシーン選択スイッチ３１４のシーン番号に対応する点灯レベル設定値を記憶部３１５から読み取り、制御部３１６は点灯レベル設定値に従って調光回路３０５の出力レベルを設定し、設定された出力レベルに従って照明器具３０３の点灯制御を行うことにより、操作されたシーン選択スイッチ３１４に対応する照明シーンの再生を行う。
【０００５】
また、同システムは、リモートコントローラ３０４を用いて照明シーンを記憶させることが可能である。リモートコントローラ３０４の一例を図２９に示す。リモートコントローラ３０４は、複数の調光スイッチ３２１と、記憶スイッチ３２２と、電源のON／OFFスイッチ３２３と、複数の照明シーン選択スイッチ３２４と、調光回路選択チャンネル３２５から構成される。記憶方法は下記の手順で行う。リモートコントローラ３０４が備える調光回路選択チャンネル３２５を操作し、照明シーンの設定を行う調光回路３０５を選択する（ステップ１）。ステップ１にて選択した調光回路３０５に接続された照明器具３０３の点灯レベルを、リモートコントローラ３０４の調光スイッチ３２１を操作して調節する（ステップ２）。ステップ１とステップ２を照明コントローラ３０２が備える各調光回路３０５に対して繰り返す（ステップ３）。リモートコントローラ３０４の記憶スイッチ３２２を押し、第１〜第３のステップで調節した各照明器具３０３の点灯レベルを、照明シーンとして記憶させる（ステップ４）。第１〜第４のステップを、照明コントローラ３０２が記憶可能な照明シーン設定数まで繰り返す。記憶された照明シーンの再生は、リモートコントローラ３０４のシーン選択スイッチ３２４を操作することにより、操作されたシーン選択スイッチ３１４に対応する照明シーンの再生を行う。
【０００６】
しかしながら、上述したリモートコントローラ３０４を用いて照明システム３０１の設定及び再生を行うためには、リモートコントローラ３０４に調光スイッチ３２１と、調光回路選択チャンネル３２５と、記憶スイッチ３２２と、シーン選択スイッチ３２４と、ON/OFFスイッチ３２３とを搭載することが必要である。そのため、リモートコントローラ３０４は、構成が複雑且つ高価なものになる。
【０００７】
また、照明システム３０１において、リモートコントローラ３０４は、日常的には照明シーンの再生操作及び電源ON/OFF操作が主であり、リモートコントローラ３０４が備える調光回路選択チャンネル３２５と、調光スイッチ３２１と、記憶スイッチ３２２とは主に照明シーン設定時に使用される。よって、照明シーンの再生を行う操作者は、リモートコントローラに日常的に使用頻度の低い複数のボタンが搭載されるため、操作が理解しづらい。
【０００８】
上記の問題を解決するために、照明シーン再生専用リモートコントローラと照明シーン設定専用リモートコントローラの２種類を用意することも考えられるが、照明システム３０１を動作させるにあたっては、日常的には殆ど使用することのない照明シーン設定専用リモートコントローラも購入する必要があり、照明システム３０１の使用者には余分なコストが発生する問題がある。また、照明シーン設定専用リモートコントローラを紛失した場合は、照明システム３０１の照明シーンの設定内容を変更できない問題もある。
【０００９】
また、調光回路３０４を４つ備える照明システム３０１の場合において、例えば、８つの照明シーンを設定する場合、１照明シーン当りのリモートコントローラの操作回数は９回であり、８シーン全てを設定するには全部で７２回のリモートコントローラの操作を要し、設定作業が非常に煩雑である。
【００１０】
上記とは別の従来の照明システムとして、照明器具にアドレス情報を記憶する記憶手段を備えた照明器具において、照明器具のアドレス情報を設定及び変更する機能を有したリモートコントローラを用いて、複数の照明器具に個別のアドレス情報を設定するものが知られている（例えば、特許文献１参照）。
【００１１】
しかしながら、上述した特許文献１に示されるようなリモートコントローラは、モード切替スイッチと、アドレス情報押釦スイッチと、照度調整押釦スイッチと、ランプ電源押釦スイッチの複数のスイッチから構成される。それゆえ、特許文献１に示されるようなリモートコントローラは、構成が複雑且つ高価なものになる。また、リモートコントローラには、アドレス情報設定用リモートコントローラの他に、照明器具操作用リモートコントローラも必要であり、使用者には余分なコストが必要となる。
【００１２】
さらに別の従来の照明システムとして、照明光反射面に所定の照明パターンを照射し、かつ映像情報を表示する空間に配置されて異空間を感じさせるための第１の照明器具と、第２の照明器具と、照明器具を制御する照明制御部を備える照明システムが知られている（例えば、特許文献２参照）。この照明システムは、リモコンからの照明環境信号を基に照明制御部が照明器具の照明状態を変えて、映像表示空間に異空間を容易に得られるものである。また、照明制御部の設定に基づき、映像情報の内容と連動した異空間を感じさせるような優れた照明環境を実現できるとしている。
【００１３】
しかしながら、上述した特許文献２に示されるような照明システムは、映像情報を表示させる操作と、照明システムの照明制御部が記憶した照明環境を再生する操作の具体的方法については記載されていない。また、特許文献２に示されるようなリモートコントローラは、映像表示機能と照明環境再生機能がそれぞれ別に搭載されている。そのため、映像情報の内容と連動した照明環境を再生するには、映像表示と照明環境再生の２回のリモートコントローラ操作が必要であり、操作が煩雑となる。特に、使用者からみれば、照明環境再生よりも映像表示操作の優先度が高く、操作の煩雑さが原因で本従来例の照明システムは、使用頻度が低くなる恐れがある。
【００１４】
【特許文献１】特開２０００―０４８９６８号公報
【特許文献２】特開２０００―３２３２８２号公報
【発明の開示】
【発明が解決しようとする課題】
【００１５】
本発明は、上記従来の問題を解決するためになされたものであり、照明器具を制御するリモートコントローラ、照明器具以外を制御するリモートコントローラ又はリモートコントローラ機能付携帯電話から照明器具を制御することを可能とし、照明器具を制御するリモートコントローラの構成を単純とし、リモートコントローラのコストが低減でき、また、照明システムの操作の手間を軽減できる照明システムを提供することを目的とする。また、本発明の他の目的は、照明器具以外の装置を制御するためのリモートコントローラの制御信号を受信すると、照明器具以外の装置と連動することができる照明システムを提供することを目的とする。
【課題を解決するための手段】
【００１６】
上記目的を達成するために請求項１の発明は、照明コントローラと、前記照明コントローラに接続された複数の照明器具と、前記照明コントローラの操作又は設定が可能なリモートコントローラを備える照明システムにおいて、前記照明コントローラは、前記リモートコントローラが発信するリモコン信号を受信するリモコン信号受信部と、リモコン信号の発信元の機器種別を判別する信号判別部と、リモコン信号の信号処理を行う信号処理部と、照明器具の点灯制御を行うための点灯制御信号を生成する制御部と、前記制御部で生成された点灯制御信号に基づき照明器具に調光信号を送信する信号送信部とを有し、前記信号判別部は、リモコン信号を発信した前記リモートコントローラの機種種別をリモコン信号の商品コードに基づいて判別し、前記リモートコントローラの機種種別が前記照明器具を制御するためのリモートコントローラの場合は、前記制御部にリモコン信号を信号変換なしで前記制御部に送信し、前記照明器具以外の装置を制御するためのリモートコントローラ又はリモートコントローラ機能付携帯電話のリモコン信号を受信した場合は、前記信号処理部が受信したリモコン信号より照明器具用の照明用変換信号を生成して前記制御部に送信する機能を備えるものである。
【００１７】
請求項２記載の発明は、請求項１記載の照明システムにおいて、前記照明コントローラは、前記照明器具以外を制御するためのリモートコントローラのリモコン信号を、前記照明器具を制御する照明用変換信号に変換するためのコード対応表からなる参照テーブルを備えるものである。
【００１８】
請求項３記載の発明は、請求項１記載又は請求項２に記載の照明システムにおいて、前記照明器具以外の装置を制御するためのリモートコントローラの制御信号を受信すると、前記照明コントローラ内の制御部は前記照明コントローラの記憶部に予め保存された照明シーン設定を読み込み、前記照明器具以外の装置の動作と連動して照明シーンを再生する機能を備えるものである。
【発明の効果】
【００１９】
本発明によれば、照明コントローラのリモコン受信部が、照明器具以外の装置を制御するためのリモコン信号を受信したときは、照明コントローラの信号判別部がそのリモコン信号を照明器具用の照明用変換信号に変換して制御部に送信するので、照明器具を制御するためのリモートコントローラだけでなく、照明器具以外の装置を制御するリモートコントローラ又はリモートコントローラ機能付携帯電話から照明器具の制御を行うことができる。また、このことにより、照明器具以外の装置の動作と照明器具の動作を連動することができる。
【発明を実施するための最良の形態】
【００２０】
（第１の実施形態）
本発明の第1の実施形態に係る照明システムついて説明する。図１は、本実施形態の照明システム１の構成を示す。この照明システム１は、照明コントローラ２と、照明コントローラに接続された複数の照明器具３と、リモートコントローラ４と、複数の調光回路５とを備える。
【００２１】
照明コントローラ２の構成を図２に示す。照明コントローラ２は、リモコン信号受信部２１と、信号判別部２２と、参照テーブル２３と、信号処理部２４と、制御部２５と、記憶部２６と、信号送信部２７から構成される。リモコン信号受信部２１は、リモートコントローラ４が発信するリモコン信号を受信する。信号判別部２２は、リモコン信号を発信したリモートコントローラ４の機器種別を判別する。参照テーブル２３は、リモコン信号の機器種別に基づいたリモコン信号の変換コードが記憶される。信号処理部２４は、受信したリモコン信号の機器種別に基づいて参照テーブル２３からリモコン信号の変換コードを読み取り、照明器具用の照明用変換信号を生成し、制御部２５に送信する。制御部２５は、信号判別部２２又は信号処理部２４から受信した信号に従って、照明器具の点灯制御を行うための点灯制御信号を生成し、信号送信部２７に送信する。記憶部２６は、照明コントローラ２に接続された照明器具３の照明シーン設定と、シーン番号に対応した各調光回路５の点灯レベルが記憶される。信号送信部２７は、複数の調光回路５を備え、点灯制御信号に基づいて各調光回路５に対して、各照明器具３が所定の点灯レベルになるよう調光信号を送信する。
【００２２】
信号判別部２２は、リモートコントローラ４の機器種別が照明器具を制御するリモートコントローラ（図示なし）の場合は、受信したリモコン信号を信号変換なしで制御部２５に送信する。また、リモートコントローラの機器種別が、ＴＶ用リモートコントローラ、ＡＶ機器用リモートコントローラ、空調機器用リモートコントローラなどの照明器具以外の装置を制御するリモートコントローラ（図示なし）又はリモートコントローラ付携帯電話（図示なし）の場合は、受信したリモコン信号を信号処理部２３に送信する。
【００２３】
制御部２５は、照明シーン再生指示を受信すると、記憶部２６より対応するシーン番号と各調光回路５の点灯レベル設定を読み取り、点灯レベル設定に従って点灯制御信号を生成する。
【００２４】
本実施形態において、リモートコントローラ４が出力するリモコン信号は、（財）家電製品協会にて定義された信号フォーマットを利用しており、照明器具を制御する照明用リモートコントローラ（図示なし）及び家電用リモートコントローラなどの照明器具以外の装置を制御するためのリモートコントローラ（図示なし）は、機器種別に係らずリモコン信号の信号フォーマットは同一である。リモートコントローラのリモコン信号フォーマットＦの一例を図３に示す。信号フォーマットＦは、リーダ３１と、メーカーコード３２と、メーカーパリティ３３と、商品コード３４と、データビット３５と、パリティビット３６と、トレーラ３７から構成される。
【００２５】
図４は、照明用リモートコントローラＬの一例を示す。照明用リモートコントローラＬは、シーン設定ボタン４１（４１ａ〜４１ｄは個々のシーン設定ボタンを示す）と、照明器具３の電源ON／OFFボタン４２から構成される。本実施形態において、リモートコントローラ４が、照明用リモートコントローラＬである場合、予め設定された照明シーンを再生する方法について図５を参照して説明する。
【００２６】
照明用リモートコントローラLのシーンボタン４１の、例えば、シーン１ボタン４１ａを操作すると、照明用リモートコントローラLより、照明シーン１再生指示リモコン信号が送信される（Ｓ１）。照明コントローラ２のリモコン信号受信部２１は、照明シーン１再生指示リモコン信号を受信し、信号判別部２２に送信する（Ｓ２）。信号判別部２２は、照明シーン１再生指示リモコン信号を受信すると、リモコン信号フォーマットＦの商品コード３４に基き、照明用リモートコントローラＬから発信された信号であると判別し、照明シーン１再生指示信号を制御部２５に送信する（Ｓ３でＹES）。制御部２５は、照明シーン１再生指示信号を受信すると、記憶部２６を参照し、照明シーン１に対応する各調光回路５の点灯レベルを読み取り、各調光回路５の点灯レベルを含む点灯制御信号を生成し、信号送信部２７に送信する（Ｓ４）。信号送信部２７は、制御部２５より点灯制御信号を受信すると、各調光回路５の所定の点灯レベルに基づいて調光信号を出力する（Ｓ５）。照明コントローラ２の各調光回路５に接続された照明器具３は、調光信号を受信すると所定の点灯レベルになるよう自己の点灯制御を行い、これによって照明シーン１が再生される（Ｓ６）。照明シーン１の再生処理を終了する。
【００２７】
図６は、ＴＶ用リモートコントローラＴの一例を示す。ＴＶ用リモートコントローラＴは、チャンネルボタン５１（５１ａと５１ｂは個々のチャンネルボタンを示す）と、
入力切替ボタン５２（５２ａはビデオ２切替ボタンを、５２ｂはＴＶ切替ボタンを示す）と、音量ボタン５３と、電源ボタン５４とから構成される。本実施形態において、リモートコントローラ４が、ＴＶ用リモートコントローラＴである場合、上述と同様に予め設定された照明シーンを再生する場合について上述の図５を参照して説明する
【００２８】
ＴＶ用リモートコントローラＴのチャンネルボタン５１の、例えば、チャンネル１ボタン５１ａを押すと、ＴＶ用リモートコントローラＴよりチャンネル１リモコン信号が送信される（S１）。照明コントローラ２のリモコン信号受信部２１はチャンネル１リモコン信号を受信し、信号判別部２２に送信する（S２）。信号判別部２２は、チャンネル１リモコン信号を受信すると、リモコン信号フォーマットＦの商品コード３４に基き、ＴＶ用リモートコントローラＴから発信された信号であると判別し、チャンネル１リモコン信号を信号処理部２４に送信する（S３でNＯ）。信号処理部２４は、信号判別部２２よりチャンネル１リモコン信号を受信すると、参照テーブル２３のＴＶ用リモコン信号の “チャンネル１”に対応する“シーン番号１”コードを読み取り、シーン番号１の照明用変換信号を生成し、制御部２５に送信する（Ｓ７）。制御部２５は、照明用変換信号を受信すると、記憶部２６を参照し、照明シーン１に対応する各調光回路５の点灯レベルを読み取り、各調光回路５の点灯レベルを含む点灯制御信号を生成し、信号送信部２７に送信する（S４）。信号送信部２７は、制御部２５より点灯制御信号を受信すると、各調光回路５の所定の点灯レベルに基づいて調光信号を出力する（S５）。照明コントローラ２の各調光回路５に接続された照明器具３は、調光信号を受信すると所定の点灯レベルになるよう自己の点灯制御を行い、これによって照明シーン１が再生される（Ｓ６）。照明シーン１の再生処理を終了する。
【００２９】
本実施形態において、記憶部２６に保存された照明シーン設定の一例を図７に示す。図７に示される記憶部２６では、各シーン番号に対応する各調光回路の点灯レベルが記憶されている。また、照明シーン再生時の参照テーブル２３の一例を図８に示す。図８に示される参照テーブル２３では、ＴＶ用リモコン信号に対応する照明用変換コードが記憶されている。
【００３０】
次に、照明器具以外の装置を制御するためのリモートコントローラ４（例えば、ＴＶ用リモートコントローラＴ）を用いて照明システム１の照明シーンを設定する方法について図９を参照して説明する。また、照明シーン設定時の参照テーブル２３の一例を図１０に示す。図１０に示される参照テーブル２３では、ＴＶ用リモコン信号に対応する照明用変換コードが記憶されている。
【００３１】
ＴＶ用リモートコントローラＴの入力切替ボタン５２を押すと、照明システムを設定モードに移行し（Ｓ１１）、設定する照明シーン番号の選択を行い、（Ｓ１２）、調光回路を選択し（Ｓ１３）、選択した調光回路に接続された照明器具の点灯制御を行い（Ｓ１４）、照明シーンを設定する処理を行い（Ｓ１５）、設定モードを終了する処理を行う（Ｓ１６）。これによって、照明システム１の照明シーンの設定は終了する。
【００３２】
前述の照明システムの照明シーンを設定モードに移行する処理（Ｓ１１）について、図１１を参照して説明する。ＴＶ用リモートコントローラＴの入力切替ボタン５２の、例えば、“ビデオ２”ボタン５２ａを押すと、入力切替リモコン信号が送信される（Ｓ１１１）。照明コントローラ２のリモコン信号受信部２１は入力切替リモコン信号を受信し、信号判別部２２に送信する（Ｓ１１２）。信号判別部２２は、入力切替リモコン信号を受信すると、リモコン信号フォーマットＦの商品コード３４に基づき、ＴＶ用リモートコントローラＴから発信された信号であると判別し、入力切替リモコン信号を信号処理部２４に送信する（Ｓ１１３）。信号処理部２４は、信号判別部２２より入力切替リモコン信号を受信すると、参照テーブル２３のＴＶ用リモコン信号の入力切替“ビデオ２”に対応する照明用変換コードを読み取り、照明システム１を設定モードに移行させるための照明用変換信号を生成し、制御部２５に送信する（Ｓ１１４）。制御部２５は照明変換信号を受信すると、自身を設定モードに移行させるとともに、記憶部２６の照明シーン設定内容をクリアする（Ｓ１１５）。また、制御部２５は信号処理部２４に対して、参照テーブル２３の照明用変換コードを設定モード用に切り替える指示を出力する（Ｓ１１６）。これによって、照明システム１は、設定モードに移行し、処理は終了する。
【００３３】
次に、前述の照明シーン番号を選択する処理（Ｓ１２）について図１２を参照して説明する。ＴＶ用リモートコントローラＴのチャンネルボタン５１の、例えば、チャンネル１ボタン５１ａを押すと、ＴＶ用リモートコントローラＴよりチャンネル１リモコン信号が送信される（Ｓ１２１）。照明コントローラ２のリモコン信号受信部２１はチャンネル１リモコン信号を受信し、信号判別部２２に送信する（Ｓ１２２）。信号判別部２２は、リモコン信号を受信すると、リモコン信号フォーマットＦの商品コード３４に基づき、ＴＶ用リモートコントローラＴから発信された信号であると判別し、チャンネル１リモコン信号を信号処理部２４に送信する（Ｓ１２３）。信号処理部２４は、チャンネル１リモコン信号を受信すると、参照テーブル２３から、チャンネル１リモコン信号に対応するシーン番号１を読み取り、照明用変換信号として制御部２５に送信する（Ｓ１２４）。制御部２５は照明用変換信号を受信すると、その内容に従って、照明シーン１の点灯レベル設定を行う（Ｓ１２５）。これによって照明シーン１の点灯レベル設定が開始され処理は終了する。
【００３４】
次に、前述の調光回路を選択する処理（Ｓ１３）について図１３を参照して説明する。ＴＶ用リモートコントローラＴのチャンネルボタン５１の、例えば、チャンネル１１ボタン５１ｂを押すと、ＴＶ用リモートコントローラＴよりチャンネル１１リモコン信号が送信される（Ｓ１３１）。照明コントローラ２のリモコン信号受信部２１はチャンネル１１リモコン信号を受信し、信号判別部２２に送信する（Ｓ１３２）。信号判別部２２は、リモコン信号を受信すると、リモコン信号フォーマットＦの商品コード３４に基づき、ＴＶ用リモートコントローラＴから発信された信号であると判別し、リモコン信号を信号処理部２４に送信する（Ｓ１３３）。信号処理部２４は、チャンネル１１リモコン信号を受信すると、参照テーブル２３から、“チャンネル１１リモコン信号”に対応する“調光回路選択１”コードを読み取り、調光回路選択１の照明用変換信号を生成し、制御部２５に送信する（Ｓ１３４）。制御部２５は照明用変換信号を受信すると、その内容に従って、調光回路１を選択状態に設定する（Ｓ１３５）。これによって、調光回路１が選択され処理は終了する。
【００３５】
次に、前述の選択した調光回路に接続された照明器具の点灯制御の処理（Ｓ１４）について図１４を参照して説明する。ＴＶ用リモートコントローラＴの音量ボタン５３を操作すると、ＴＶ用リモートコントローラＴより、音量レベルリモコン信号が送信される（Ｓ１４１）。照明コントローラ２のリモコン信号受信部２１は音量レベルリモコン信号を受信し、信号判別部２２に送信する（Ｓ１４２）。信号判別部２２は、音量レベルリモコン信号を受信すると、リモコン信号フォーマットＦの商品コード３４に基づき、ＴＶ用リモートコントローラＴから発信された信号であると判別し、音量レベルリモコン信号を信号処理部２４に送信する（Ｓ１４３）。信号処理部２４は、信号判別部２２より音量レベルリモコン信号を受信すると、参照テーブル２３の音量レベルリモコン信号に対応する“点灯レベル”コードを読み取り、照明用変換信号を生成し、制御部２５に送信する（Ｓ１４４）。制御部２５は、照明用変換信号を受信すると、その内容に従って点灯制御信号を生成し、信号送信部２７に出力する（Ｓ１４５）。信号送信部２７は、点灯制御信号に従って調光回路５に調光信号を出力する（Ｓ１４６）。これによって、調光回路５に接続された照明器具３は、調光信号に従って、ＴＶ用リモートコントローラＴで操作した音量レベルに対応する所定の点灯レベルになるよう自身の点灯制御を行い、処理は終了する。
【００３６】
次に、前述の照明シーンを設定する処理（Ｓ１５）について図１５を参照して説明する。調光回路５の点灯レベルを設定するために、Ｓ１３〜Ｓ１４の操作を各調光回路５に対して行う（Ｓ１５１）。Ｓ１５１にて操作した照明器具３の点灯レベルがＯＫでない場合（Ｓ１５２でＮＯ）、Ｓ１５１に戻り、再び調光回路５の点灯レベルの設定を行い（Ｓ１５１）、ＯＫである場合（Ｓ１５２でＹＥＳ）、ＴＶ用リモートコントローラＴのＯＮボタン５４の操作を行う（Ｓ１５３）。照明コントローラ２は操作によって受信したＯＮリモコン信号を受信すると、信号判別部２２に送信する（Ｓ１５４）。信号判別部２２は、ＯＮリモコン信号を受信すると、リモコン信号フォーマットＦの商品コード３４に基づき、ＴＶ用リモートコントローラＴから発信された信号であると判別し、ＯＮリモコン信号を信号処理部２４に送信する（Ｓ１５５）。信号処理部２４は、信号判別部２２よりＯＮリモコン信号を受信すると、参照テーブル２３のＴＶ用リモコン信号の“ＯＮリモコン信号”に対応する“確定”コードを読み取り、確定の照明用変換信号を生成し、制御部２５に送信する（Ｓ１５６）。制御部２５は、照明用変換信号に従って、各調光回路５の点灯レベルを記憶部２６に保存する（Ｓ１５７）。これによって、照明シーン1の設定を完了し、処理は終了する。
【００３７】
次に、設定モードを終了する処理について図１６を参照して説明する。ＴＶ用リモートコントローラＴの入力切替ボタンの、例えば、“ＴＶ”ボタン５２ｂを操作すると、ＴＶ用リモートコントローラＴよりＴＶリモコン信号が送信される（Ｓ１６１）。照明コントローラ２のリモコン信号受信部２１は、ＴＶリモコン信号を受信し、信号判別部２２に送信する（Ｓ１６２）。信号判別部２２は、ＴＶリモコン信号を受信すると、リモコン信号フォーマットＦの商品コード３４に基き、ＴＶ用リモートコントローラＴから発信された信号であると判別し、ＴＶリモコン信号を信号処理部２４に送信する（Ｓ１６３）。信号処理部２４は、信号判別部２２よりＴＶリモコン信号を受信すると、参照テーブル２３の“ＴＶリモコン信号”に対応する“通常モード通常（手動）”コードを読み取り、“通常モード通常（手動）”の照明用変換信号を生成し、制御部２５に送信する（Ｓ１６４）。制御部２５は、照明用変換信号を受信すると、照明システム１を通常動作モードに移行させる（Ｓ１６５）。これによって、設定モードを終了する。
【００３８】
本実施形態に係る照明システム１によれば、照明器具を制御するリモートコントローラＬ又は照明器具以外を制御するためのリモートコントローラＴのどちらからでも照明システム１の操作を行うことが可能である。また、照明器具以外を制御するためのリモートコントローラＴを用いて照明システム１の動作設定を行うことも可能である。そのため、照明器具３を制御するリモートコントローラ４は、照明シーン再生などの操作機能のみを搭載した単純な構成で実現でき、照明システム１の使用者は、設定専用の高価なリモートコントローラ４を購入する必要がなくなる。さらに、照明器具３を制御するリモートコントローラ４を単純な構成で実現することで、使用者が、操作方法を容易に理解できるメリットがある。
【００３９】
また、本実施形態の照明システム１の操作方法及び動作設定方法は、照明器具以外を制御するためのリモートコントローラＴとして、例えば、ＴＶ用リモートコントローラＴと同様の機能を備えるＡＶ機器用リモートコントローラ又はＶＴＲやＤＶＤなどの録画器用リモートコントローラにおいても容易に実現できる。さらに、空調機器用リモートコントローラの温度設定と照明器具の点灯レベルの変換テーブルを参照テーブル内に備えることによって、この照明システムは、空調機器リモートコントローラを用いて照明器具の点灯レベル調整を行うことも可能である。
【００４０】
（第２の実施形態）
次に、本発明の第２の実施形態に係る照明システム１について説明する。本実施形態の照明システムの構成を図１７に示す。この照明システム１は、照明システムユニット７０と、メモリーカードなどの記憶媒体や電子メールなどを扱うことができる端末７２と、リモートコントローラ機能付携帯電話７４とを備える。照明システムユニット７０は、照明コントローラ２（前述の図２と同様）と、照明コントローラに接続された複数の照明器具３と、複数の調光回路５とを備える。本実施形態において、リモートコントローラ機能付き携帯電話７４を用いて、照明システムユニット７０の照明シーンの設定を行う方法について図１７を参照して説明する。
【００４１】
照明システムユニット７０の使用者７３は、照明システムユニット７０の設置環境データをデジタル画像の形態で、照明シーン設定データを作成するデータ提供者７１の端末７２に送信する（＃２１）。デジタル画像には、照明システム設置空間の間取り、寸法、家具などの配置が含まれている。同データ提供者７１は、端末７２が設置環境データを受信すると、そのデータ内容に従って、照明システムユニット７０を構成するに必要な照明器具３の台数と、その照明シーン設定のデータを作成する（＃２２）。照明シーン設定データは、照明コントローラ２の記憶部２６のデータと同様に、照明シーン番号ごとに照明コントローラ２の各調光回路５の点灯レベルを含む内容である。同データ提供者７１は、＃２２で作成された照明シーン設定データを、同使用者７３が保有するリモートコントローラ機能付き携帯電話７４に送信する（＃２３）。送信方法としては、メモリーカードなどの記憶媒体又は電子メールなど、いずれかの方法を用いてもよい。同使用者７３は、リモートコントローラ機能付き携帯電話７４が照明シーン設定データを受信すると、リモートコントローラ付き携帯電話７４のリモコン機能を起動し、照明シーン設定データを照明コントローラ２に送信する（＃２４）。照明コントローラ２は、照明シーン設定データを受信すると、照明コントローラ２の信号処理部２４にて、照明シーン設定データ内容に対応した照明用変換信号を生成し、制御部２５に送信する（＃２５）。照明コントローラ２の制御部２５は、照明用変換信号を受信すると、その内容に従って照明シーン設定を照明コントローラ２の記憶部２６に保存する（＃２６）。これによって、照明システムユニット７０の照明シーンの設定処理は終了する。
【００４２】
本実施形態によれば、使用者７３は、リモートコントローラ付き携帯電話７４を用いて、データ提供者７１から受け取った照明シーン設定データを照明コントローラ２に送信するだけで、容易な操作で照明シーンの設定を行うことが出来る。さらに、照明器具点灯レベルなどの照明シーン設定データは、データ提供者７１が作成するため、使用者７３は、照明シーン設定を行う際に必要となるリモートコントローラ４の操作回数を低減することができる。
【００４３】
（第３の実施形態）
次に、本発明の第３の実施形態に係る照明システム１について図１８を参照して説明する。本実施形態の照明システム１の構成を図１８に示す。この照明システム１は、照明システムユニット８０と、録画再生機８１と、録画再生機用リモートコントローラ８２とを備える。照明システムユニット８０は、照明コントローラ２（前述の図２と同等）と、照明コントローラ２に接続された複数の照明器具３と、複数の調光回路５とを備える。本実施形態における参照テーブル２３の一例を図１９に示す。図１９に示される参照テーブル２３では、ＡＶ機器用リモコン信号に対応する照明用変換コードが記憶されている。
【００４４】
本実施形態において、照明システムを連動モードに移行させる動作方法について、図２０を参照して説明する。録画再生機器用リモートコントローラ８２の電源ＯＮボタンを操作すると、録画再生機器用リモートコントローラ８２より、電源ＯＮリモコン信号が送信される（Ｓ３１１）。照明コントローラ２のリモコン信号受信部２１は、電源ＯＮリモコン信号を受信し、信号判別部２２に送信する（Ｓ３１２）。信号判別部２２は、電源ＯＮリモコン信号を受信すると、リモコン信号フォーマットＦ（前述の図３と同等）の商品コード３４に基づき、録画再生機器用リモートコントローラ８２から発信された信号であると判別し、電源ＯＮリモコン信号を信号処理部２４に送信する（Ｓ３１３）。信号処理部２４は、電源ＯＮリモコン信号を受信すると、参照テーブル２３のＡＶ機器用リモコン信号の“電源ＯＮ”に対応する動作モード“連動”コードを読み取り、設定モードに移行させるための照明用変換信号を生成し、制御部２５に送信する（Ｓ３１４）。制御部２５は照明用変換信号を受信すると、連動動作モードに移行し、現在の照明シーン番号を記憶部２６に保存する（Ｓ３１５）。これによって、照明システム８０を連動モードに移行させる処理は終了する。
【００４５】
次に、照明シーンを再生する処理について図２１を参照して説明する。録画再生機器用リモートコントローラ８２で録画再生機の再生操作が行われると、再生リモコン信号が送信される（Ｓ３２１）。照明コントローラのリモコン受信部２１は、再生リモコン信号を受信し、信号判別部２２に送信する（Ｓ３２２）。信号判別部２２は、再生リモコン信号を受信すると、リモコン信号フォーマットＦの商品コード３４に基づき、録画再生機器用リモートコントローラ８２から発信された信号であると判別し、再生リモコン信号を信号処理部２４に送信する（Ｓ３２３）。信号処理部２４は、再生リモコン信号を受信すると、参照テーブル２３のＡＶ機器用リモコン信号の再生リモコン信号に対応する“シーン番号２”コードを読み取り、シーン番号２の照明用変換信号を生成し、制御部２５に送信する（Ｓ３２４）。制御部２５は、照明用変換信号を受信すると、記憶部２６を参照し、照明シーン２に対応する各調光回路５の点灯レベルを読み取り、各調光回路５の点灯レベルを含む点灯制御信号を生成し、信号送信部２７に送信する（Ｓ３２５）。信号送信部２７は、制御部２５より点灯制御信号を受信すると、各調光回路５の所定の点灯レベルに基づいて調光信号を送信する（Ｓ３２６）。照明コントローラ２の各調光回路５に接続された照明器具３は、調光信号を受信すると所定の点灯レベルになるよう自己の点灯制御を行う（Ｓ３２７）。これによって、照明シーンを再生する処理は終了する。
【００４６】
本実施形態によれば、録画再生機８１による映像視聴に合わせた照明シーンを再生したい場合に、録画機器用リモートコントローラ８２の操作のみで、自動的に照明シーンを変化させることが可能である。このため、録画再生機器の操作を行った後に、さらに照明器具３を制御するリモートコントローラ４を操作する必要がなく使用者の操作負担を軽減させることができる。
【００４７】
また、照明シーンを停止する処理について図２２を参照して説明する。録画機器用リモートコントローラ８２で停止操作が行われると、停止リモコン信号が送信される（Ｓ３３１）。照明コントローラ２のリモコン受信部２１は、停止リモコン信号を受信し、信号判別部２２に送信する（Ｓ３３２）。信号判別部２２は、停止リモコン信号を受信すると、リモコン信号フォーマットＦの商品コード３４に基づき、録画再生機器用リモートコントローラ８２から発信された信号であると判別し、停止リモコン信号を信号処理部２４に送信する（Ｓ３３３）。信号処理部２４は、停止リモコン信号を受信すると、参照テーブル２３のＡＶ機器用リモコン信号の停止リモコン信号に対応する“戻る”コードを読み取り、照明用変換信号を生成し、制御部２５に送信する（Ｓ３３４）。制御部２５は、記憶部２６に保存した照明シーン番号をもとに、点灯制御信号を生成し、信号送信部２７に送信する（Ｓ３３５）。信号送信部２７は、制御部２５より点灯制御信号を受信すると、各調光回路５に調光信号を送信する（Ｓ３３６）。照明システム８０の照明器具３は、調光信号を受信すると自己の点灯制御を行い、録画機器用リモートコントローラ８２の再生操作が行われる前の照明シーンが自動的に復元される（Ｓ３３７）。これによって、照明シーンを停止する処理は終了する。
【００４８】
（第４の実施形態）
次に、本発明の第４の実施形態に係る照明システム１について説明する。本実施形態の照明システム１は、第１の実施形態に係る照明システム１の変形例で、照明コントローラ２と照明器具３の構成部品とを一体化したものである。例として、図２３に蛍光灯用の引掛シーリングと照明コントローラ２とを一体化した照明システム１の構成を示す。この照明システム１は、照明コントローラ一体型引掛シーリング９１と、蛍光灯器具９５と、リモートコントローラ４とを備える。照明コントローラ一体型引掛シーリング９１は、引掛シーリング本体９２と、引掛シーリング本体９２に内蔵されている照明コントローラ２と、照明コントローラ２が備える調光回路５と、引掛シーリング本体９２の上面に設置されている接続部９３と、照明コントローラ２に接続されている電源線９４とを備える。
蛍光灯器具本体９５は、電源線９４と接続する電源端子９６と、調光回路５と接続する調光端子９７とを備える。本実施形態に係る照明コントローラ２の構成を図２４に示す。この照明コントローラ２は、リモコン信号受信部２１と、信号判別部２２と、参照テーブル２３と、信号処理部２４と、制御部２５と、記憶部２６と、電源線９４と、電力制御部１０１とを備える。
【００４９】
上記とは別の例として、図２５に照明コントローラと口金ソケットとを一体化した照明システム１の構成を示す。この照明システム１は、照明コントローラ内蔵型口金ソケット１１１と、照明器具本体１１２と、リモートコントローラ４とを備える。照明コントローラ内蔵型口金ソケット１１１は、口金ソケット筐体１１３と、口金ソケット筐体１１３に内蔵されている照明コントローラ２（前述の図２４と同等）と、照明コントローラ２に接続されている電源線９４とを備える。
【００５０】
本実施形態において、照明シーンの再生を行う方法について説明する。リモートコントローラ４で再生操作が行われると、再生リモコン信号が送信される。照明器具３の構成部品と一体化した照明コントローラ２は、再生リモコン信号を直接受信する。リモコン信号を受信した照明コントローラ２は、一体化した照明器具３に対して、それぞれ受信したリモコン信号に従った点灯制御を行う。これにより、照明シーンを再生する。
【００５１】
本実施形態によれば、照明コントローラ２は、照明器具３の構成部品と一体化しているので、使用者は、照明システム１の取り付けにあたって壁面や天井面の加工は不要である。そのため、使用者は、照明システム１の施工が容易にできる。さらに、照明システム１の施工後に照明器具３を追加する場合、照明コントローラ２と一体化した照明器具３のみを追加するだけで、照明システム１に照明器具３を組み込むことが可能である。そのため、使用者は、照明コントローラ２から追加した照明器具３の調光回路５に接続する手間を軽減させることができる。
【００５２】
なお、本発明は、上記各種実施形態の構成に限られず、発明の趣旨を変更しない範囲で種々の変形が可能である。例えば、照明システムと連動する相手は、空調機器でもよい。この場合は、空調機器を制御するリモートコントローラを操作すると、空調機器の動作に連動して自動的に照明システムの照明シーンを変えることができる。
【図面の簡単な説明】
【００５３】
【図１】本発明の第１の実施形態に係る照明システムの構成図。
【図２】同システムに用いられる照明コントローラの内部構成図。
【図３】同システムに用いられるリモートコントローラのリモコン信号フォーマットの構成図。
【図４】同システムに用いられるリモートコントローラが照明器具用リモートコントローラの場合の一例を示す図。
【図５】同システムの照明シーン再生時のフローチャート。
【図６】同システムに用いられるリモートコントローラがＴＶ用リモートコントローラの場合の一例を示す図。
【図７】同システムにおける記憶部に保存された照明シーン設定の一例を示す図。
【図８】同システムにおける照明シーン再生時の参照テーブルの内容の一例を示す図。
【図９】同システムにおける照明システムの照明シーン設定時における処理のフローチャート。
【図１０】同システムにおける設定モードの時の参照テーブルの内容の一例を示す図。
【図１１】同システムにおけるＴＶ用リモートコントローラを用いて照明シーン設定モードに移行する処理のフローチャート。
【図１２】同システムにおける同ＴＶ用リモートコントローラを用いて照明点灯レベルを設定する処理のフローチャート。
【図１３】同システムにおける同ＴＶ用リモートコントローラを用いて調光回路を選択する処理のフローチャート。
【図１４】同システムにおける同ＴＶ用リモートコントローラを用いて照明器具の点灯を制御する処理のフローチャート。
【図１５】同システムにおける同ＴＶ用リモートコントローラを用いて調光回路の点灯レベルを保存する処理のフローチャート。
【図１６】同システムにおける同ＴＶ用リモートコントローラを用いて設定モードを終了して動作モードに移行する処理のフローチャート。
【図１７】本発明の第２の実施形態に係る照明システムであってリモートコントローラ機能付き携帯電話を用いた場合の構成図。
【図１８】本発明の第３の実施形態に係る照明システムであって動画再生機器用リモートコントローラを用いた場合の構成図。
【図１９】同システムにおける参照テーブルのＡＶ機器用リモコン信号と照明用変換コードの対応の一例を示す図。
【図２０】同システムにおける同動画再生機器用リモートコントローラの電源ＯＮボタンを操作する際のフローチャート。
【図２１】同システムにおける同動画再生機器用リモートコントローラの再生操作を行う際のフローチャート。
【図２２】同システムにおける同動画再生機器用リモートコントローラの停止操作を行う際のフローチャート。
【図２３】本発明の第４の実施形態に係る照明システムであって照明コントローラ一体型引掛シーリングの構成図。
【図２４】同システムにおける照明コントローラの内部構成図。
【図２５】同システムにおける照明コントローラ一体型口金ソッケトの構成図。
【図２６】従来の照明システムの構成図。
【図２７】同上の照明コントローラの操作箇所の構成図。
【図２８】同上の照明コントローラの内部構成図。
【図２９】同上のリモートコントローラの一例を示す図。
【符号の説明】
【００５４】
１  照明システム
２  照明コントローラ
３  照明器具
４  リモートコントローラ
５  調光回路
２１  リモコン信号受信部
２２  信号判別部
２３  参照テーブル
２４  信号処理部
２５  制御部
２６  記憶部
２７  信号送信部
３４  商品コード
【図１】
2006269381.tif 000003
【図２】
2006269381.tif 000004
【図３】
2006269381.tif 000005
【図４】
2006269381.tif 000006
【図５】
2006269381.tif 000007
【図６】
2006269381.tif 000008
【図７】
2006269381.tif 000009
【図８】
2006269381.tif 000010
【図９】
2006269381.tif 000011
【図１０】
2006269381.tif 000012
【図１１】
2006269381.tif 000013
【図１２】
2006269381.tif 000014
【図１３】
2006269381.tif 000015
【図１４】
2006269381.tif 000016
【図１５】
2006269381.tif 000017
【図１６】
2006269381.tif 000018
【図１７】
2006269381.tif 000019
【図１８】
2006269381.tif 000020
【図１９】
2006269381.tif 000021
【図２０】
2006269381.tif 000022
【図２１】
2006269381.tif 000023
【図２２】
2006269381.tif 000024
【図２３】
2006269381.tif 000025
【図２４】
2006269381.tif 000026
【図２５】
2006269381.tif 000027
【図２６】
2006269381.tif 000028
【図２７】
2006269381.tif 000029
【図２８】
2006269381.tif 000030
【図２９】
2006269381.tif 000031